(57)【要約】【課題】顔検出機能を備えたビデオムービーにおいて、顔が検出されると表示される顔枠に対し、枠に幻惑されて顔の表示位置が画面端になってしまうという課題がある。【解決手段】被写体を撮像する撮像部１と、画像中の顔を検出する顔検出部３と、顔検出部３で検出した顔データに応じて、明るさ、ホワイトバランスを調整するコントローラ４とを備え、コントローラ４は、顔検出部３による検出中の顔が画面中心よりずれている場合、ズレ量に応じて、表示する顔枠の表示位置を画面中心部方向にずらして表示することによって、顔検出機能によって表示される枠に撮影者の注意が集中した場合であっても、被写体に対する表示枠の表示位置によって、撮像装置を動かすべき方向を把握することができる。【選択図】図１
2010114792.tif 000002
【特許請求の範囲】
【請求項１】
被写体を撮像する撮像部と、
前記撮像部の出力を画像処理する画像処理部と、
前記画像処理部の出力画像中の特定被写体領域を検出する特徴検出部と
前記画像処理部の出力に前記特徴検出部で検出した特定被写体領域を示す表示枠を重ねて表示する表示部と、
前記特定被写体領域の表示部上での位置に基づき、前記特定被写体領域に対して、前記表示枠を、表示部中心側にずらして表示するよう制御する制御部と、
を備えた撮像装置。
【請求項２】
前記特徴検出部により検出された被写体の位置と表示部中心との距離に応じて、前記表示枠を表示部中心側にずらす量を変える
請求項１記載の撮像装置。
【請求項３】
被写体を撮像する撮像部と、
前記撮像部の出力を画像処理する画像処理部と、
前記画像処理部の出力画像中の特定被写体領域を検出する特徴検出部と
前記画像処理部の出力に前記特徴検出部で検出した特定被写体領域を示す表示枠を重ねて表示する表示部と、
前記特定被写体領域の表示部上での位置に基づき、前記特定被写体領域に対して、前記表示枠の表示部中心寄りの辺の位置を中心方向に移動させ、前記表示枠の大きさを変えて表示するよう制御する制御部と、
を備えた撮像装置。
【請求項４】
前記特徴検出部により検出された被写体の位置と表示部中心との距離に応じて、前記表示枠の大きさを変える
請求項３記載の撮像装置。
【請求項５】
前記特徴検出部は人の顔を検出する
請求項１から４の何れかに記載の撮像装置。
【発明の詳細な説明】
【技術分野】
【０００１】
本発明は、撮像装置に関するものであり、特に、顔検出機能を搭載した撮像装置に関するものである。
【背景技術】
【０００２】
最近の撮像装置では、顔検出機能を搭載し、検出された顔が綺麗に撮影されるようにフォーカスやホワイトバランス処理を行うようにしているものがある。例えば、顔位置を検出する顔検出手段と、前記顔検出手段により検出された人物の顔を測光エリアとして測光する測光手段と、前記測光手段の人物の顔の測光結果に基づいて露光量を算出し、当該算出した露光量に基づき露出制御を行う露出制御手段とを備えており、顔が検出されるとその顔部分の周囲に矩形の枠を表示させ、顔を検出した旨を使用者に報知するというものである（例えば、特許文献１参照）。
【特許文献１】特開２００３−１０７５５５号公報（第１０頁、図８）
【発明の開示】
【発明が解決しようとする課題】
【０００３】
しかしながら、上記の構成を動画撮影機能を有するビデオムービー等に適応した場合、被写体である人は随時動くため、その人が画面ほぼ中央に来るよう、ビデオムービーの向きを都度調節する必要がある。しかしながら、時として顔検出によって表示された枠に撮影者の注意が集中し、顔が画面隅にあるにも関わらず、枠内中央部にあるためそれに気が付かず、画面から外れる可能性が高くなる、という課題があった。
【０００４】
本発明は上記の問題点に鑑み、常に好ましい位置に人物が配置されるようにした撮像装置を提供することである。
【課題を解決するための手段】
【０００５】
本発明の撮像装置は、被写体を撮像する撮像部と、前記撮像部の出力を画像処理する画像処理部と、前記画像処理部の出力画像中の特定被写体領域を検出する特徴検出部と、前記画像処理部の出力に前記特徴検出部で検出した特定被写体領域を示す表示枠を重ねて表示する表示部と、前記特定被写体領域の表示部上での位置に基づき、前記特定被写体領域に対して、前記表示枠を、表示部中心側にずらして表示するよう制御する制御部と、を備える。
【発明の効果】
【０００６】
本発明の撮像装置は、顔検出機能によって表示される枠に撮影者の注意が集中した場合であっても、被写体に対する表示枠の表示位置によって、撮像装置を向けるべき方向を誘導することができる。
【発明を実施するための最良の形態】
【０００７】
（実施の形態１）
図１は、本発明の撮像装置の実施の形態１を示すブロック図である。図１において、撮像部１は、光学系と撮像素子とＡＤコンバータとで構成される。光学系は、対物レンズ、ズームレンズ、絞り、ＯＩＳ（Ｏｐｔｉｃａｌ  Ｉｍａｇｅ  Ｓｔａｂｉｌｉｚｅｒ：光学式手ブレ補正）ユニット、フォーカスレンズ等を含む。光学系は、被写体からの光を集光し、被写体像を形成する。撮像素子は、光学系で形成された被写体像を撮像して、画像データを生成する。撮像素子は、ＣＭＯＳイメージセンサー、ＣＣＤイメージセンサー等である。ＡＤコンバータは、撮像素子で生成された画像データをデジタル信号に変換する。画像メモリ２は、撮像部１が出力した画像データを保持する。顔検出部３は、画像メモリ２上の画像データに、顔が存在するか否かを検出する。顔が検出された場合は、顔検出部３はその位置情報と大きさ情報をコントローラ４に通知する。
【０００８】
なお、本実施の形態では、画像データ中の顔を検出するとしたが、本発明はこれに限られず、例えば、人全体や、ねこ等の特定の動物や、動く物体等を検出してもよい。また、本実施の形態では、顔検出部３をコントローラ４と別に設けているが、コントローラ４で実現しても良い。
【０００９】
制御部５は、撮像部１を構成するレンズ、絞り、ＯＩＳユニット、フォーカス等を、コントローラ４からの出力に基づき制御する。コントローラ４は、撮像装置全体を制御する制御手段である。コントローラ４は、ハードウェアのみで構成してもよいし、ハードウェアとソフトウェアを組み合わせることにより実現してもよい。コントローラ４は、マイクロコンピュータで実現できる。コントローラ４は、顔検出部３より通知された位置と大きさに基づき、その位置にフォーカスを合わせると共に、その位置の明るさが最適となるよう絞りを制御すべく、その命令を制御部５に対して出力する。また、検出された顔の位置情報と大きさ情報に基づき、その部分が最も良い色合いとなるよう、ホワイトバランスを補正するための命令をホワイトバランス補正部７に対して出力する。
【００１０】
ホワイトバランス補正部（ＷＢ補正部）７は、コントローラ４からの指示に基づき、画像メモリ２からの画像データについて、ホワイトバランス補正を行う。このホワイトバランス補正部７の出力が表示部１０によって表示され、使用者に対して現在どのような画像が取り込まれ、処理されているかをリアルタイムで伝える。本実施の形態１では、ホワイトバランス補正部７のみを図示しているが、画像メモリ２の画像データについて、ガンマ補正や、傷補正などの各種補正を行う補正部を設けてもよい。
【００１１】
画像処理部８は、画像圧縮部、画像伸張部、システムエンコーダ、システムデコーダを含む。画像圧縮部は、ＤＣＴ（離散コサイン変換）、ハフマン符号化などをおこなうことにより、画像データを圧縮する。画像圧縮部は、例えば、ＭＰＥＧ−２や、Ｈ．２６４の規格に準拠した圧縮形式により画像データを圧縮する。但し、本発明は、ＭＰＥＧ−２や、Ｈ．２６４の形式の画像データに限定されない。画像伸張部は、システムデコーダから出力された圧縮済みの画像データを再生する場合などに、この画像データを非圧縮の状態に復号化する。
【００１２】
システムデコーダは、記録部９に記録されたＡＶデータを復号化し、圧縮画像データを生成する。システムデコーダは、生成した圧縮画像データを画像伸張部へ出力する。
【００１３】
記録部９は、記録媒体への画像データの記録や、再生を行う。記録媒体は、メモリカード、ハードディスク、ＤＶＤ（Ｄｉｇｉｔａｌ  Ｖｅｒｓａｔｉｌｅ  Ｄｉｓｃ）等である。
【００１４】
表示部１０は、ホワイトバランス補正部７から出力された画像データや、記録部９から読み出したＡＶデータ中の画像データを表示可能である。また、表示部１０は、各種の設定情報や、撮影時間などを表示可能である。表示部１０は、液晶モニタや、ＥＶＦ（電子ビューファインダ）で構成される。
【００１５】
画像データに顔があった場合について、その処理を図２に示すフローチャートを用いて、説明する。
【００１６】
顔検出部３は、顔を検出すると、ステップ２０において検出した顔の位置を算出し、ステップ２１において、検出した顔のサイズを検出し、検出した顔の位置とサイズをコントローラ４に通知する。次に、ステップ２２において、コントローラ４は、ステップ２０で算出した顔の位置が、画面中央付近であるかどうか、の判定を行う。ここでは、画面を縦横それぞれ３等分して９つの区画に分け、中央の区画に顔全体が含まれるかどうかで判定を行っている。コントローラ４は、判定の結果、顔位置が中央の範囲内になると判断されればステップ２４に移行し、ステップ２１で算出された顔サイズに基づき、図３（Ａ）に示すとおり、ホワイトバランス補正部７の出力画像に、枠３０を付加して、表示部１０に表示する。
【００１７】
一方、ステップ２２において顔位置が画面中央にないと判断されると、表示する枠の位置に対し、画面中央方向にオフセットを与える。ここでは、画面中央と顔の中央の縦方向、横方向の距離に比例した量をオフセットとするようにしている。コントローラ４は、ステップ２４においてこのオフセットに基づいて枠の位置を定め、枠３２を付加して、表示部１０に表示する。故に、図３（Ｂ）に示すように、表示部１０に表示される顔位置が画面中央より右下方向に少し外れた場合には、枠３２が画面中央方向に少しずれて（オフセットが与えられて）表示される。オフセットがない場合の顔位置の表示を枠３１のとおり点線で示している（この点線で示した枠３１は、表示部には表示されない）。
【００１８】
図３（Ｃ）に示すように、更に顔位置が右方向にずれた場合について述べると、ステップ２３においてオフセット量を更に大きくする方向となるので、図３（Ｃ）の枠３４で示すとおり、オフセットがない場合を示す枠３３と比較して分かるように、中央へのズレが更に大きくなる。
【００１９】
このように構成することにより、随時顔が動く被写体を追うようにしてビデオ撮影する場合においても、顔位置が画面の端に寄った場合は、顔検出による枠が顔とずれるため、仮に顔にのみ注目している場合であっても、間近にある枠とのズレが目に入り、そのズレを補正すべくビデオカメラの向きを補正することとなり、前述のように「顔が画面隅にあるにも関わらず、枠内中央部にあるためそれに気が付かない」といった事態を防ぐことができる。
【００２０】
なお、ステップ２２、２３による表示位置補正とステップ２１の顔サイズ算出はこの順序である必要はなく、表示位置補正を行った後に顔サイズの算出を行ってよいことはいうまでもない。
【００２１】
また、本実施の形態１では画面を縦横それぞれに３等分して９つの区画に分けているが、無論これに限ったものではなく、縦横を４等分以上に分け、全体をより多くの区間に分けてもよく、また縦横を異なる等分で分けてもよい。また、画面中心から顔の中心の距離に比例させて枠をずらす、としたが、これもまたそれに限ったものではなく、例えば、距離の２乗に比例させてずらすようにしてもよいことは言うまでもない。
（他の実施の形態）
図４は本願発明における映像装置における顔枠表示の他の実施の形態を示したものである。実施の形態１では、図３において、枠の大きさは同じで、表示位置のみ変更するようにしたが、本実施の形態では、枠の中心寄り側の辺の位置を中心方向に移動させて枠の大きさを変えて表示する例を示している。このように表示することで、顔位置が画面端に寄って場合であっても、顔の中に枠の線が走る、といったことを防ぐことができる。
【００２２】
また、顔位置と画面中心の距離が小さい場合は枠のサイズはそのままで表示位置のみずらし、その距離が一定以上大きくなると、中央方向に枠の大きさを膨らませていく、というようにしてもよいものである。
【産業上の利用可能性】
【００２３】
本発明にかかる撮像装置は動画撮影に限らず、デジタルカメラのような静止画を撮影する機器にも適用できる。
【図面の簡単な説明】
【００２４】
【図１】本発明の実施の形態１における撮像装置の構成を示すブロック図
【図２】本発明の実施の形態１における処理のシーケンスを示すフローチャート
【図３】本発明の実施の形態１における表示部に表示される枠の例を示す説明図
【図４】本発明の他の実施の形態における表示部に表示される他の枠の例を示す説明図
【符号の説明】
【００２５】
１    撮像部
２    画像メモリ
３    顔検出部
４    コントローラ
５    制御部
７    ホワイトバランス補正部
８    画像処理部
９    記録部
１０    表示部
【図１】
2010114792.tif 000003
【図２】
2010114792.tif 000004
【図３】
2010114792.tif 000005
【図４】
2010114792.tif 000006